【手続補正書】
【提出日】平成19年9月6日(2007.9.6)
【手続補正１】
【補正対象書類名】明細書
【補正対象項目名】発明の名称
【補正方法】変更
【補正の内容】
【発明の名称】光記録装置および光記録方法
【手続補正２】
【補正対象書類名】明細書
【補正対象項目名】特許請求の範囲
【補正方法】変更
【補正の内容】
【特許請求の範囲】
【請求項１】  情報の記録に用いられる光スポットを生成する光源と、
前記光スポットの収差量を検出する検出手段と、
前記検出された収差量に基づいて見積もられた前記光スポットのストレール強度低下が補われるように前記光源の出力を制御する制御手段と、を備えた、光記録装置。
【請求項２】  前記検出手段は、前記検出された収差量を収差検出信号Ｓとして検出し、
前記制御手段は、Ｓ＝０における前記記録に必要な前記光源の出力をＰ0とするとき、所定の定数Ｋに対して、前記出力がＰ0／（１−Ｋ・Ｓ2）となるように、前記光源の出力を制御する、請求項１記載の光記録装置。
【請求項３】  前記収差量は、実質的に球面収差量および／またはコマ収差量によって発生する、請求項１記載の光記録装置。
【請求項４】  前記検出手段は、前記球面収差量と前記コマ収差量とをそれぞれ検出し、
前者は球面収差検出信号Ｓ1として出力され、後者はコマ収差検出信号Ｓ2として出力され、
前記制御手段は、Ｓ1＝Ｓ2＝０における前記記録に必要な前記光源の出力をＰ0とするとき、所定の定数Ｋに対して、前記出力がＰ0／（１−Ｋ・（Ｓ12＋Ｓ22））となるように、前記光源の出力を制御する、請求項３記載の光記録装置。
【請求項５】  １／（１−Ｋ・Ｓ2）＞１．５となる場合には、前記情報の記録は中止される、請求項２記載の光記録装置。
【請求項６】  前記検出手段は、前記検出された収差量を収差検出信号Ｓとして検出し、
前記制御手段は、初期学習時における前記収差検出信号および前記光源の出力をそれぞれＳi、Ｐiとするとき、所定の定数Ｋに対して、前記出力がＰi（１−Ｋ・Ｓi2）／（１−Ｋ・Ｓ2）となるように、前記光源の出力を制御する、請求項１記載の光記録装置。
【請求項７】  情報の記録に用いられる光スポットを生成する光源の制御を行う光記録方法であって、
前記光スポットの収差量を検出する検出ステップと、
前記検出された収差量に基づいて見積もられた前記光スポットのストレール強度低下が補われるように前記光源の出力を制御する制御ステップと、を備えた、光記録方法。
【手続補正３】
【補正対象書類名】明細書
【補正対象項目名】０００１
【補正方法】変更
【補正の内容】
【０００１】
【発明の属する技術分野】
本発明は、たとえば、光源から出射した光束を光ディスクの透明基板を介して情報記録面に収束させ、情報記録面上に情報を記録再生する光ディスク装置および光記録方法に関する。
【手続補正４】
【補正対象書類名】明細書
【補正対象項目名】００１４
【補正方法】変更
【補正の内容】
【００１４】
本発明は、上記従来のこのような課題を考慮し、従来の方法では防止することのできない記録信号品質の劣化を抑制することができる光記録装置および光記録方法を提供することを目的とするものである。
【手続補正５】
【補正対象書類名】明細書
【補正対象項目名】００１５
【補正方法】変更
【補正の内容】
【００１５】
【発明を解決するための手段】
第一の本発明（請求項１に対応）は、情報の記録に用いられる光スポットを生成する光源と、
前記光スポットの収差量を検出する検出手段と、
前記検出された収差量に基づいて見積もられた前記光スポットのストレール強度低下が補われるように前記光源の出力を制御する制御手段と、を備えた、光記録装置である。
【手続補正６】
【補正対象書類名】明細書
【補正対象項目名】００１６
【補正方法】変更
【補正の内容】
【００１６】
第二の本発明（請求項２に対応）は、前記検出手段は、前記検出された収差量を収差検出信号Ｓとして検出し、
前記制御手段は、Ｓ＝０における前記記録に必要な前記光源の出力をＰ0とするとき、所定の定数Ｋに対して、前記出力がＰ0／（１−Ｋ・Ｓ2）となるように、前記光源の出力を制御する、第一の本発明の光記録装置である。
【手続補正７】
【補正対象書類名】明細書
【補正対象項目名】００１７
【補正方法】変更
【補正の内容】
【００１７】
第三の本発明（請求項３に対応）は、前記収差量は、実質的に球面収差量および／またはコマ収差量によって発生する、第一の本発明の光記録装置である。
【手続補正８】
【補正対象書類名】明細書
【補正対象項目名】００１８
【補正方法】変更
【補正の内容】
【００１８】
第四の本発明（請求項４に対応）は、前記検出手段は、前記球面収差量と前記コマ収差量とをそれぞれ検出し、
前者は球面収差検出信号Ｓ1として出力され、後者はコマ収差検出信号Ｓ2として出力され、
前記制御手段は、Ｓ1＝Ｓ2＝０における前記記録に必要な前記光源の出力をＰ0とするとき、所定の定数Ｋに対して、前記出力がＰ0／（１−Ｋ・（Ｓ12＋Ｓ22））となるように、前記光源の出力を制御する、第三の本発明の光記録装置である。
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】変更
【補正の内容】
【００２０】
第五の本発明（請求項５に対応）は、１／（１−Ｋ・Ｓ2）＞１．５となる場合には、前記情報の記録は中止される、第二の本発明の光記録装置である。
【手続補正１１】
【補正対象書類名】明細書
【補正対象項目名】００２１
【補正方法】変更
【補正の内容】
【００２１】
第六の本発明（請求項６に対応）は、前記検出手段は、前記検出された収差量を収差検出信号Ｓとして検出し、
前記制御手段は、初期学習時における前記収差検出信号および前記光源の出力をそれぞれＳi、Ｐiとするとき、所定の定数Ｋに対して、前記出力がＰi（１−Ｋ・Ｓi2）／（１−Ｋ・Ｓ2）となるように、前記光源の出力を制御する、第一の本発明の光記録装置である。
【手続補正１２】
【補正対象書類名】明細書
【補正対象項目名】００２２
【補正方法】変更
【補正の内容】
【００２２】
第七の本発明（請求項７に対応）は、情報の記録に用いられる光スポットを生成する光源の制御を行う光記録方法であって、
前記光スポットの収差量を検出する検出ステップと、
前記検出された収差量に基づいて見積もられた前記光スポットのストレール強度低下が補われるように前記光源の出力を制御する制御ステップと、を備えた、光記録方法である。
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００４５
【補正方法】変更
【補正の内容】
【００４５】
なお、定数Ｋの値は、収差検出手段の感度Ｃおよび光の波長λの設計値を（数５）に代入することで得られるが、光ディスク装置の初期調整時に、既知の基材厚変化やチルト変化を与えて最適光源出力を測定することで、直接求めてもよい。
【手続補正１８】
【補正対象書類名】明細書
【補正対象項目名】００６７
【補正方法】変更
【補正の内容】
【００６７】
なお、上述した本発明の全部または一部の手段の全部または一部の機能をコンピュータにより実行させるためのプログラムおよび／またはデータを担持した媒体であり、コンピュータにより読み取り可能、かつ読み取られた前記プログラムおよび／またはデータが前記コンピュータと協動して前記機能を実行する媒体は、本発明に関連する発明である。
【手続補正１９】
【補正対象書類名】明細書
【補正対象項目名】００６８
【補正方法】変更
【補正の内容】
【００６８】
また、上述した本発明の全部または一部のステップの全部または一部の動作をコンピュータにより実行させるためのプログラムおよび／またはデータを担持した媒体であり、コンピュータにより読み取り可能、かつ読み取られた前記プログラムおよび／またはデータが前記コンピュータと協動して前記機能を実行する媒体は、本発明に関連する発明である。
【手続補正２０】
【補正対象書類名】明細書
【補正対象項目名】００６９
【補正方法】変更
【補正の内容】
【００６９】
また、上述した本発明の全部または一部の手段の全部または一部の機能をコンピュータにより実行させるためのプログラムおよび／またはデータを担持した情報集合体であり、コンピュータにより読み取り可能、かつ読み取られた前記プログラムおよび／またはデータが前記コンピュータと協動して前記機能を実行する情報集合体は、本発明に関連する発明である。
【手続補正２１】
【補正対象書類名】明細書
【補正対象項目名】００７０
【補正方法】変更
【補正の内容】
【００７０】
また、上述した本発明の全部または一部のステップの全部または一部の動作をコンピュータにより実行させるためのプログラムおよび／またはデータを担持した情報集合体であり、コンピュータにより読み取り可能、かつ読み取られた前記プログラムおよび／またはデータが前記コンピュータと協動して前記機能を実行する情報集合体は、本発明に関連する発明である。
【手続補正２２】
【補正対象書類名】明細書
【補正対象項目名】００８２
【補正方法】変更
【補正の内容】
【００８２】
【発明の効果】
以上の説明から明らかなように、本発明は、従来の方法では防止することのできない記録信号品質の劣化を抑制することができる光記録装置および光記録方法を提供することができるという長所を有する。